(57)【要約】      （修正有）【課題】強い衝撃が加わっても振動素子がシンクボールの底面裏側から離脱するおそれなく、振動に伴なう騒音が小さい超音波洗浄機能を有するシンクの提供。【解決方法】シンクボール１１の底面に少なくとも１つ穿孔されたボルト孔と、シンクボール１１底面裏側のボルト孔開口部周辺に配設された多孔性シート２１と、上面が多孔性シート２１に接触し上面中央にナット２３が固着され、ナット２３上にワッシャーが設けられた振動素子２０と、シンクボール１１の内側から気密パッキングを介してシンクボール１１の底面に振動素子２０を１次固定する締結ボルト１５と、多孔性シート２１と振動素子２０をシンクボール１１の底面に２次固定する接着層５０と、シンクボール１１の外周面下部に周設された騒音吸収部材６０と、シンクボール１１の外側面を覆う防水・遮音カバーを含む超音波洗浄機能を有するシンクの構造。【選択図】図４
2006257868.tif 000002
【特許請求の範囲】
【請求項１】
シンクボール１１の底面の所定位置に振動素子２０が固着されてなる超音波洗浄機能を有するシンクにおいて、
前記シンクボール１１の外側面とは若干の間隔を保ち、底面に固着された振動素子２０ともども被包する防水・遮音カバー７０を設けてなることを特徴とする超音波洗浄機能を有するシンク。
【請求項２】
超音波洗浄機能を有するシンクにおいて、
前記シンクボール１１の底面の所定位置に１つ、あるいは所定間隔を置いて２つ以上穿孔されたボルト孔１９と、
前記シンクボール１１に穿孔された前記ボルト孔１９の前記シンクボール１１の底面裏側に開いた開口部周辺領域に配設された多孔性シート２１と、
上面が前記多孔性シート２１に接触し、上面中央部内部にナット２３が固着され、かつ前記ナット２３上にワッシャー２５が配設された振動素子と、
前記シンクボール１１の底面内側から、気密パッキング３０、ボルト孔１９、多孔性シート２１及びワッシャー２５を挿通して前記振動素子２０のナット２３と締結して、前記振動素子２０をシンクボール１１の底面に１次固定する締結ボルト１５と、
前記振動素子１１の上部外周に沿って粘着され、前記多孔性シート２１と振動素子２０を前記シンクボール１１の底面に接着して２次固定する接着層５０と、
前記シンクボール１１の外側面下部領域の外周に取り付けられ、前記振動素子２０によって発生する騒音を吸収し減少させる騒音吸収部材６０と、
前記シンクボールの外側を覆う防水・遮音カバー７０を含んでなることを特徴とする超音波洗浄機能を有するシンク。
【発明の詳細な説明】
【技術分野】
【０００１】
本発明は、超音波を用いて食器、野菜、果物などを自動洗浄する超音波洗浄機能を有するシンクに関し、より詳しくはシンクボールの底面に取り付けられた振動素子が、シンクに加わる強い衝撃によってシンクボールの底面から離脱せず、また振動素子の振動によって発生する騒音を減少させた超音波洗浄機能を有するシンクに関する。
【背景技術】
【０００２】
超音波を発生する振動素子をシンクボールに取り付けて、そこから放出される衝撃波によってシンクボール内の液中に浸漬された被洗浄物の表面の付着物や汚れを内部の見えない細かな隙間まで短時間で洗浄する超音波洗浄機能を有するシンクが、近年広く普及し、使用されている。そしてこれら超音波洗浄機能を有するシンクのシンクボールへの超音波振動素子の取付構造についても多く提案がなされているが、その大部分は、シンクボールの底面にボルトを固着し、そこに振動素子を締結するか、又は接着剤を用いて振動素子をシンクボールの底面に接着するかした構造が採用されている。
しかし、前記のような振動素子の取付構造では、超音波洗浄機能を有するシンクに強い衝撃が加わるとその衝撃によってシンクボールの底面に取り付けられていた振動素子がシンクボールの底面から離脱する事態が頻繁に生じるという問題があった。
また、従来の超音波洗浄機能を有するシンクには、シンクボールの底面に取り付けられた振動素子の振動がシンクボールにそのまま伝わって騒音が発生するという問題もあった。
【発明の開示】
【発明が解決しようとする課題】
【０００３】
本発明は、上記背景技術に鑑み、シンクに強い衝撃が加わっても振動素子がシンクボールの底面から離脱することなく、かつ振動素子の振動に伴う騒音が低減される超音波洗浄機能を有するシンクを提供することを課題とする。
【課題を解決するための手段】
【０００４】
本発明者は、上記課題を下記の手段で解決した。
（１）シンクボールの底面の所定位置に振動素子が固着されてなる超音波洗浄機能を有するシンクにおいて、
前記シンクボールの外側面とは若干の間隔を保ち、底面に固着された振動素子ともども被包する防水・遮音カバーを設けてなることを特徴とする超音波洗浄機能を有するシンク。
（２）超音波洗浄機能を有するシンクにおいて、
前記シンクボールの底面の所定位置に１つ、あるいは所定間隔を置いて２つ以上穿孔されたボルト孔と、
前記シンクボールに穿孔された前記ボルト孔の前記シンクボールの底面裏側に開いた開口部周辺領域に配設された多孔性シートと、
上面が前記多孔性シートに接触し、上面中央部内部にナットが固着され、かつ前記ナット上にワッシャーが配設された振動素子と、
前記シンクボールの底面内側から、気密パッキング、ボルト孔、多孔性シート及びワッシャーを挿通して前記振動素子のナットと締結して、前記振動素子をシンクボールの底面に１次固定する締結ボルトと、
前記振動素子の上部外周に沿って粘着され、前記多孔性シートと振動素子を前記シンクボールの底面に接着して２次固定する接着層と、
前記シンクボールの外側面下部領域の外周に取り付けられ、前記振動素子によって発生する騒音を吸収し減少させる騒音吸収部材と、
前記シンクボールの外側を覆う防水・遮音カバーを含んでなることを特徴とする超音波洗浄機能を有するシンク。
【発明の効果】
【０００５】
本発明の超音波洗浄機能を有するシンクによって下記の効果が発揮される。
（ア）請求項１発明によれば、
超音波洗浄機能を有するシンクの外側面と若干の間隔を保ち、底面に固定された振動素子ともども前記シンクを被包して設けた防水・遮音カバーが、振動素子の振動に伴ってシンクボールで発生する騒音のシンク外への放射を遮るので、騒音の小さい超音波洗浄機能を有するシンクが実現できる。
（イ）、請求項２の発明によれば、
振動素子が、シンクボールの底面に穿孔されたボルト孔に挿通された締結ボルトと該振動素子の上面中央部内部に固着されたナットとの締結で１次固定されるとともに、前記振動素子と多孔性シートを前記シンクの底面裏側に前記振動素子外周上部に粘着された接着層で接着して２次固定されるので、シンクが強い衝撃を受けても前記振動素子がシンクボールの底面から離脱するおそれがなくなる。
また、シンクボールの外側面下部領域の外周に取り付けられた騒音吸収部材が前記振動素子によって発生する騒音を吸収し減少させ、さらに前記シンクを被包して設けた防水・遮音カバーが騒音のシンク外への放射を遮るので、騒音の小さい超音波洗浄機能を有するシンクが実現できる。
【発明を実施するための最良の形態】
【０００６】
本発明の超音波洗浄機能を有するシンクは、
（１）シンクボールの底面の所定位置に振動素子が固着されてなる超音波洗浄機能を有するシンクにおいて、前記シンクボールの外側面とは若干の間隔を保ち、底面に固着された振動素子ともども被包する防水・遮音カバーを設けてなることを特徴とする超音波洗浄機能を有するシンク、及び
（２）前記シンクボールの底面の所定位置に１つ、あるいは所定間隔を置いて２つ以上穿孔されたボルト孔と、前記シンクボールに穿孔された前記１つ、あるいは２つ以上のボルト孔それぞれの、前記シンクボール底面裏側に開いた開口部周辺領域に配設された多孔性シートと、上面が前記多孔性シートに接触し、上面中央部内部にナットが固着され、かつ前記ナット上にワッシャーが配設された振動素子と、前記シンクボールの底面内側から、気密パッキング、ボルト孔、多孔性シート及びワッシャーを挿通して前記振動素子のナットと締結して、前記振動素子をシンクボール底面に１次固定する締結ボルトと、前記振動素子の上部外周に沿って粘着され、前記多孔性シートと振動素子を前記シンクボールの底面に接着により２次固定する接着層と、前記シンクボールの外側面下部領域の外周に取り付けられ、前記振動素子によって発生する騒音を吸収し減少させる騒音吸収部材と、前記シンクボールの外側を覆う防水・遮音カバーを含んでなることを特徴とする超音波洗浄機能を有するシンクによって達成される。
【０００７】
以下に本発明の超音波洗浄機能を有するシンクについて、実施例の図面に基づいて説明する。
図１は本発明によるシンクの実施例の外観を示す斜視図、図２は本発明によるシンクボールへの振動素子の取付構造を示す断面図、図３は図２の取付構造の分解斜視図、図４は本発明によるシンクボールの騒音低減方法を説明するための断面図である。
図において１０は 超音波洗浄機能を有するシンク、１１はシンクボール、１３は排水孔、１５は締結ボルト、１７はシンク本体、１９はボルト孔、２０は振動素子、２１は多孔性シート、２３はナット、２５はワッシャー、３０は気密パッキング、５０は接着層、６０は騒音吸収部材、７０は防水・遮音カバーである。
【０００８】
本発明による超音波洗浄機能を有するシンク１０は、図１に示すように、キッチンキャビネット等に組み込まれ、内側に向かって所定の深さに陥没した形状のシンクボール１１を備え、該シンクボール１１の底面には、排水孔１３が形成されていて、排水孔１３の周辺には、所定間隔を置いて複数（図１では５個）のボルト孔１９（図３参照）が穿孔され、該ボルト孔１９には締結ボルト１５が挿通されている。そしてこの締結ボルト１５は、図２及び図３に示すように、気密パッキング３０、前記ボルト孔１９、及びワッシャー２５を介して、シンクボール１１の底面裏側に配設された振動素子２０のナット２３に締結されている。
また、シンクボール１１の下部にはシンク本体１７が設けられている。
【０００９】
本発明によるシンクボール１１への振動素子２０の取付構造は、図２の断面図、及び図３の分解斜視図に見られるように、シンクボール１１の底面裏側のボルト孔１９の開口部周辺領域に布からなる多孔性シート２１が配設され、
振動素子２０の上面中央内部にはナット２３が固着され、そのナット２３の上にワッシャー２５が配置され、そして前記振動素子２０の上面は前記多孔性シート２１に接触させた後、シンクボール１１の内側から気密パッキング３０をボルト孔１９、多孔性シート２１及びワッシャー２５に挿通された締結ボルト１５を、前記振動素子２０のナット２３に締結させて、振動素子２０をシンクボール１１の底面裏側に１次固定し、さらに、振動素子２０の外周上部に粘着した接着層５０によって、前記多孔性シート２１と振動素子２０をシンクボール１１の底面裏側に接着する２次固定を行わせてなる。
これによって、前記振動素子２０が、シンク１０に加わる衝撃によってシンクボール１１の底面から離脱するおそれがなくなる。
【００１０】
また、本発明による超音波洗浄機能を有するシンクは、図４に示すように、シンクボール１１の外側面の下部に、振動素子２０によって発生する騒音を吸収減少させる騒音吸収部材６０が取り付けられ、その外部すなわち、シンクボール１１の外側には、シンクボール１１の全体を覆う防水・遮音カバー７０が配設されている。これにより振動素子２０によって発生するシンクボール１１の騒音を前記騒音吸収部材６０で減少させ、さらに発生した騒音も前記防水・遮音カバー７０により外部に漏れることを遮断して、騒音のより一層小さな超音波洗浄機能を有するシンクを得ている。
【００１１】
上述の実施例では、複数の振動素子２０をシンクボール１１に取り付けた場合について説明したが、シンクボール１１に取り付ける振動素子が１つの場合であってもよく、その数はシンクボール１１の大きさや振動素子２０の性能等によって選択されてよい。
【図面の簡単な説明】
【００１２】
【図１】本発明によるシンクの外観を示す斜視図
【図２】本発明によるシンクボールへの振動素子の取付構造を示す断面図
【図３】図２の取付構造の分解斜視図
【図４】本発明による超音波洗浄機能を有するシンクの騒音低減方法を説明するための断面図
【符号の説明】
【００１３】
１０：超音波洗浄機能を有するシンク
１１：シンクボール
１３：排水孔
１５：締結ボルト
１７：シンク本体
１９：ボルト孔
２０：振動素子
２１：多孔性シート
２３：ナット
２５：ワッシャー
３０：気密パッキング
５０：接着層
６０：騒音吸収部材
７０：防水・遮音カバー
【図１】
2006257868.tif 000003
【図２】
2006257868.tif 000004
【図３】
2006257868.tif 000005
【図４】
2006257868.tif 000006